(57)【要約】【課題】表示パネルにファイル名を適切に表示させる。【解決手段】クライアント端末１では、ファイル名に用いられている文字データがインクジェット記録装置２に対応しているか否かを判定し、対応している場合、ファイル名を文字データでヘッダに記憶して印刷ジョブを生成する一方、対応していない場合、ファイル名を画像データに変換しヘッダに記憶して印刷ジョブを生成し、インクジェット記録装置２では、受信した印刷ジョブのヘッダに含まれるファイル名が文字データかビットマップデータかを判定し、文字データである場合、予め記憶された文字データに対応する文字コードおよびフォントに基づいてファイル名をビットマップデータに変換してディスプレイ８０に表示させる一方、ビットマップデータである場合、ファイル名をビットマップデータのままディスプレイ８０に表示させる。【選択図】図１
2016012177.tif 000002
【特許請求の範囲】
【請求項１】
印刷要求されたファイルデータにそのファイル名を含むヘッダを付加して印刷ジョブを生成する端末と、前記端末に接続され、前記生成された印刷ジョブを受信し、受信した印刷ジョブに基づいて印刷処理を実行する印刷装置とを備えた画像形成システムであって、
前記端末は、
所定の文字コードを用いて示される文字データが、前記印刷装置に記憶された文字コードに対応しているか否かを判定する対応判定手段と、
前記対応判定手段により前記文字データが前記印刷装置に記憶された文字コードに対応していると判定された場合、前記ファイル名を文字データとして前記ヘッダに記憶して前記印刷ジョブを生成する一方、前記対応判定手段により前記文字データが前記印刷装置に記憶された文字コードに対応していないと判定された場合、前記ファイル名を画像データに変換し、前記変換した画像データであるファイル名を前記ヘッダに記憶して前記印刷ジョブを生成する印刷ジョブ生成手段と、
前記印刷ジョブ生成手段により生成された印刷ジョブを前記印刷装置に送信する送信手段と、を備え、
前記印刷装置は、
前記送信手段により送信された印刷ジョブのヘッダに含まれるファイル名が文字データか画像データかを判定するデータ判定手段と、
前記データ判定手段により文字データであると判定された場合、予め記憶された前記文字データに対応する文字コードに基づいて前記ファイル名を文字データから画像データに変換して表示パネルに表示させる一方、前記データ判定手段により画像データであると判定された場合、前記ファイル名を画像データとして表示パネルに表示させる出力制御手段と、を備える
ことを特徴とする画像形成システム。
【請求項２】
印刷要求されたファイルデータにそのファイル名を含むヘッダを付加して印刷ジョブを生成する端末と、前記端末に接続され、前記生成された印刷ジョブを受信し、受信した印刷ジョブに基づいて印刷処理を実行する印刷装置とを備えた画像形成システムであって、
前記端末は、
前記ファイルデータおよび前記ファイル名に用いられている文字データが、前記印刷装置に記憶された文字コードに対応しているか否かを判定する対応判定手段と、
前記対応判定手段により、前記文字データが前記印刷装置に記憶された文字コードに対応していないと判定された場合、前記ファイルデータおよび前記ファイル名に対応する文字コードおよびフォントを含む表示セットのデータ量と前記ファイルデータのデータ量と前記ファイル名のデータ量とを加算することで第１データ量を算出するとともに、前記ファイルデータを画像変換した場合のデータ量と前記ファイル名を画像変換した場合のデータ量とを加算することで第２データ量を算出し、前記第１データ量と前記第２データ量との大きさを比較するデータ量比較手段と、
前記データ量比較手段により第１データ量の方が小さいと判定された場合、前記ファイル名を文字データで前記ヘッダに記憶して前記ファイルデータに付加することで第１の印刷ジョブを生成する一方、前記データ量比較手段により第２データ量の方が小さいと判定された場合、前記ファイルデータおよび前記ファイル名を画像データに変換し、前記変換した画像データであるファイル名を前記ヘッダに記憶し前記変換した画像データであるファイルデータに付加することで第２の印刷ジョブを生成する印刷ジョブ生成手段と、
前記印刷ジョブ生成手段により前記第１の印刷ジョブが生成された場合、この生成された第１の印刷ジョブおよび前記表示セットを前記印刷装置に送信する一方、前記印刷ジョブ生成手段により前記第２の印刷ジョブが生成された場合、この生成された第２の印刷ジョブを前記印刷装置に送信する送信手段と、を備え、
前記印刷装置は、
前記送信手段により送信された第１の印刷ジョブまたは第２の印刷ジョブのヘッダに含まれるファイル名が文字データか画像データかを判定するデータ判定手段と、
前記データ判定手段により文字データであると判定された場合、前記表示セットに基づいて前記ファイル名を文字データから画像データに変換し前記ファイル名を表示パネルに表示させる一方、前記データ判定手段により画像データであると判定された場合、前記ファイル名を画像データとして表示パネルに表示させる出力制御手段と、を備える
ことを特徴とする画像形成システム。
【発明の詳細な説明】
【技術分野】
【０００１】
本発明は、表示パネルにファイル名を適切に表示させる画像形成システムに関する。
【背景技術】
【０００２】
画像形成システムは、クライアント端末と印刷装置とがネットワークを介して接続されている。そして、クライアント端末は、印刷要求されたファイルデータにファイル名を含むヘッダを付加して印刷ジョブを生成し、クライアント端末から印刷装置へ生成した印刷ジョブを送信する。印刷装置は、送信された印刷ジョブを受信し、受信した印刷ジョブに基づいて印刷処理を実行する。
【０００３】
この画像形成システムにおいて、印刷装置は印刷ジョブを受信すると、印刷ジョブのヘッダに含まれる文字コードで記載されたファイル名を抽出し、あらかじめ記憶している文字コードとフォントとに基づいて、対応する言語およびフォントで抽出したファイル名を操作パネル上に表示させる。
【０００４】
このとき、印刷装置に、対応する文字コードが記憶されていない場合、操作パネル上にファイル名を適切に表示することができない、いわゆる文字化けという現象が生じることになる。
【０００５】
特許文献１には、ホスト端末からの印刷依頼を受信し、該印刷依頼を印刷ジョブとしてジョブ記憶部に登録し、ジョブ記憶部に記憶された印刷ジョブから言語種別を抽出し、言語種別と対応した言語情報をメッセージ記憶部から取得し、言語情報を使用して表示部に表示制御する画像形成装置に関する技術が記載されている。
【先行技術文献】
【特許文献】
【０００６】
【特許文献１】特開２００５−３４２９４５号公報
【発明の概要】
【発明が解決しようとする課題】
【０００７】
特許文献１に記載の画像形成装置では、言語種別と対応した言語情報を表示させるため、予めメッセージ記憶部に、対応する言語情報を記憶しておく必要がある。
【０００８】
しかしながら、画像形成装置は、使用される際、どのような言語で用いられるか不明である。例えば、トルコ語の圏内にオフィスがあり、トルコ語に対応する言語情報が記憶された画像形成装置が設置されているとする。そして、このオフィスに日本人スタッフが訪れ、日本人スタッフが所有する日本語仕様のポータブルコンピュータを画像形成装置に接続して印刷する場合、画像形成装置は日本語に対応する言語情報が記憶されていないので、表示部にファイル名を日本語で表示させることができず、文字化けしてしまう。
【０００９】
この結果、複数の印刷ジョブを画像形成装置に送信した場合に、画像形成装置側でユーザが印刷ジョブの印刷ジョブ名（ファイル名）を特定することができず、例えば、以下のような不都合があった。日本語名の複数のファイルデータを印刷しようと印刷指示をした後に、その複数のファイルデータのうち１つのファイルデータは間違って印刷指示したものであると分かった場合、ユーザは、間違って印刷指示したファイルデータを削除したいと考える。しかしながら、文字化けした日本語のファイルデータ同士の区別がつかなくなるので、ユーザは、どのファイルデータを印刷すべきで、どのファイルデータを削除すべきか分からなくなるという問題があった。
【００１０】
このような問題を解決するために、全ての言語に対応するため全ての言語情報を記憶させておくことも考えられるが、全ての言語情報を記憶させるためには、膨大な記憶容量が必要となるので実現は非常に困難であった。
【００１１】
本発明は、上記課題に鑑みてなされたものであり、表示パネルにファイル名を適切に表示させる画像形成システムを提供することを目的とする。
【課題を解決するための手段】
【００１２】
上記目的を達成するため、本発明に係る画像形成システムの第１の特徴は、印刷要求されたファイルデータにそのファイル名を含むヘッダを付加して印刷ジョブを生成する端末と、前記端末に接続され、前記生成された印刷ジョブを受信し、受信した印刷ジョブに基づいて印刷処理を実行する印刷装置とを備えた画像形成システムであって、前記端末は、所定の文字コードを用いて示される文字データが、前記印刷装置に記憶された文字コードに対応しているか否かを判定する対応判定手段と、前記対応判定手段により前記文字データが前記印刷装置に記憶された文字コードに対応していると判定された場合、前記ファイル名を文字データとして前記ヘッダに記憶して前記印刷ジョブを生成する一方、前記対応判定手段により前記文字データが前記印刷装置に記憶された文字コードに対応していないと判定された場合、前記ファイル名を画像データに変換し、前記変換した画像データであるファイル名を前記ヘッダに記憶して前記印刷ジョブを生成する印刷ジョブ生成手段と、前記印刷ジョブ生成手段により生成された印刷ジョブを前記印刷装置に送信する送信手段と、を備え、前記印刷装置は、前記送信手段により送信された印刷ジョブのヘッダに含まれるファイル名が文字データか画像データかを判定するデータ判定手段と、前記データ判定手段により文字データであると判定された場合、予め記憶された前記文字データに対応する文字コードに基づいて前記ファイル名を文字データから画像データに変換して表示パネルに表示させる一方、前記データ判定手段により画像データであると判定された場合、前記ファイル名を画像データとして表示パネルに表示させる出力制御手段と、を備えることにある。
【００１３】
また、本発明に係る画像形成システムの第２の特徴は、印刷要求されたファイルデータにそのファイル名を含むヘッダを付加して印刷ジョブを生成する端末と、前記端末に接続され、前記生成された印刷ジョブを受信し、受信した印刷ジョブに基づいて印刷処理を実行する印刷装置とを備えた画像形成システムであって、前記端末は、前記ファイルデータおよび前記ファイル名に用いられている文字データが、前記印刷装置に記憶された文字コードに対応しているか否かを判定する対応判定手段と、前記対応判定手段により、前記文字データが前記印刷装置に記憶された文字コードに対応していないと判定された場合、前記ファイルデータおよび前記ファイル名に対応する文字コードおよびフォントを含む表示セットのデータ量と前記ファイルデータのデータ量と前記ファイル名のデータ量とを加算することで第１データ量を算出するとともに、前記ファイルデータを画像変換した場合のデータ量と前記ファイル名を画像変換した場合のデータ量とを加算することで第２データ量を算出し、前記第１データ量と前記第２データ量との大きさを比較するデータ量比較手段と、前記データ量比較手段により第１データ量の方が小さいと判定された場合、前記ファイル名を文字データで前記ヘッダに記憶して前記ファイルデータに付加することで第１の印刷ジョブを生成する一方、前記データ量比較手段により第２データ量の方が小さいと判定された場合、前記ファイルデータおよび前記ファイル名を画像データに変換し、前記変換した画像データであるファイル名を前記ヘッダに記憶し前記変換した画像データであるファイルデータに付加することで第２の印刷ジョブを生成する印刷ジョブ生成手段と、
前記印刷ジョブ生成手段により前記第１の印刷ジョブが生成された場合、この生成された第１の印刷ジョブおよび前記表示セットを前記印刷装置に送信する一方、前記印刷ジョブ生成手段により前記第２の印刷ジョブが生成された場合、この生成された第２の印刷ジョブを前記印刷装置に送信する送信手段と、を備え、前記印刷装置は、前記送信手段により送信された第１の印刷ジョブまたは第２の印刷ジョブのヘッダに含まれるファイル名が文字データか画像データかを判定するデータ判定手段と、前記データ判定手段により文字データであると判定された場合、前記表示セットに基づいて前記ファイル名を文字データから画像データに変換し前記ファイル名を表示パネルに表示させる一方、前記データ判定手段により画像データであると判定された場合、前記ファイル名を画像データとして表示パネルに表示させる出力制御手段と、を備えることにある。
【発明の効果】
【００１４】
本発明に係る画像形成システムの第１の特徴によれば、端末が、所定の文字コードを用いて示される文字データが、印刷装置に記憶された文字コードに対応しているか否かを判定する対応判定手段と、対応判定手段により文字データが印刷装置に記憶された文字コードに対応していると判定された場合、ファイル名を文字データとしてヘッダに記憶して印刷ジョブを生成する一方、対応判定手段により文字データが印刷装置に記憶された文字コードに対応していないと判定された場合、ファイル名を画像データに変換し、変換した画像データであるファイル名をヘッダに記憶して印刷ジョブを生成する印刷ジョブ生成手段と、印刷ジョブ生成手段により生成された印刷ジョブを印刷装置に送信する送信手段とを備え、印刷装置が、送信手段により送信された印刷ジョブのヘッダに含まれるファイル名が文字データか画像データかを判定するデータ判定手段と、データ判定手段により文字データであると判定された場合、予め記憶された文字データ対応する文字コードおよびフォントに基づいてファイル名を文字データから画像データに変換して表示パネルに表示させる一方、データ判定手段により画像データであると判定された場合、ファイル名を画像データとして表示パネルに表示させる出力制御手段とを備える。
【００１５】
これにより、送信先である印刷装置の言語の対応状況に応じたデータ形式のファイル名を生成することができるので、ファイル名に用いられている文字データが、送信先である印刷装置に対応しているか否かにかかわらず、印刷装置における文字化けを防止して適切にファイル名を表示することができる。例えば、日本語名の複数のファイルデータを印刷しようと印刷指示をした後に、その複数のファイルデータのうち１つのファイルデータは間違って印刷指示したものであると分かった場合、ユーザは、間違って印刷指示したファイルデータを削除したいと考える。このような場合においても、字化けを防止することができるので、日本語のファイルデータ同士の区別がつく。そのため、ユーザは、どのファイルデータを印刷すべきで、どのファイルデータを削除すべきかを把握することができる。
【００１６】
本発明に係る画像形成システムの第２の特徴によれば、端末が、ファイルデータおよびファイル名に用いられている文字データが、印刷装置に記憶された文字コードに対応しているか否かを判定する対応判定手段と、対応判定手段により、文字データが印刷装置に記憶された文字コードに対応していないと判定された場合、ファイルデータおよびファイル名に対応する文字コードおよびフォントを含む表示セットのデータ量とファイルデータのデータ量とファイル名のデータ量とを加算することで第１データ量を算出するとともに、ファイルデータを画像変換した場合のデータ量とファイル名を画像変換した場合のデータ量とを加算することで第２データ量を算出し、第１データ量と第２データ量との大きさを比較するデータ量比較手段と、データ量比較手段により第１データ量の方が小さいと判定された場合、ファイル名を文字データでヘッダに記憶してファイルデータに付加することで第１の印刷ジョブを生成する一方、データ量比較手段により第２データ量の方が小さいと判定された場合、ファイルデータおよびファイル名を画像データに変換し、変換した画像データであるファイル名をヘッダに記憶し変換した画像データであるファイルデータに付加することで第２の印刷ジョブを生成する印刷ジョブ生成手段と、印刷ジョブ生成手段により第１の印刷ジョブが生成された場合、この生成された第１の印刷ジョブおよび表示セットを印刷装置に送信する一方、印刷ジョブ生成手段により第２の印刷ジョブが生成された場合、この生成された第２の印刷ジョブを印刷装置に送信する送信手段と、を備え、
印刷装置が、送信手段により送信された第１の印刷ジョブまたは第２の印刷ジョブのヘッダに含まれるファイル名が文字データか画像データかを判定するデータ判定手段と、データ判定手段により文字データであると判定された場合、表示セットに基づいてファイル名を文字データから画像データに変換しファイル名を表示パネルに表示させる一方、データ判定手段により画像データであると判定された場合、ファイル名を画像データとして表示パネルに表示させる出力制御手段と、を備える。
【００１７】
これにより、送信先である印刷装置の言語の対応状況と送信するデータ総量とに応じたデータ形式のファイルデータおよびファイル名を生成することができる。そのため、ファイル名およびファイルデータに用いられている文字データが、送信先である印刷装置に対応しているか否かにかかわらず、印刷装置における文字化けして表示することを防止して請求項１の効果を奏するとともに、印刷ジョブを送信する際のデータ通信量を極力小さくしながら、ユーザ操作により生成された印刷ジョブにより指定された文字コードを用いた印刷物を得ることができる。
【図面の簡単な説明】
【００１８】
【図１】本発明の実施例１に係るクライアント端末を有する画像形成システムの概略構成を示す説明図である。
【図２】本発明の実施例１に係る画像形成システムが備えるクライアント端末による印刷ジョブ送信処理の処理手順を示したフローチャートである。
【図３】本発明の実施例１に係る画像形成システムが備えるインクジェット記録装置による印刷処理の処理手順を示したフローチャートである。
【図４】本発明の実施例１に係る画像形成システムが備えるインクジェット記録装置が備えるディスプレイ上に表示された印刷ジョブリスト表示画面の一例を示した図である。
【図５】本発明の実施例２に係るクライアント端末を有する画像形成システムの概略構成を示す説明図である。
【図６】本発明の実施例２に係る画像形成システムが備えるクライアント端末による印刷ジョブ送信処理の処理手順を示したフローチャートである。
【図７】複数の言語を含むファイルデータの一例を示した図である。
【発明を実施するための形態】
【００１９】
以下、本発明の実施形態について図面を参照しながら説明する。
【００２０】
[実施例１]
図１は、本発明の実施例１に係るクライアント端末１を有する画像形成システム１００の概略構成を示す説明図である。
【００２１】
（画像形成システム１００の全体構成）
図１に示すように、画像形成システム１００は、印刷装置として機能するインクジェット記録装置２と、複数のクライアント端末１（図１中では、代表して１つのクライアント端末１についてのみ示している）とを有している。
【００２２】
各クライアント端末１は、ＰＣ（パーソナルコンピュータ）等によって構成されるものである。このクライアント端末１は、ＲＯＭ１７に格納された制御プログラムに基づいて各種の処理を実行するＣＰＵ１６を有している。また、ＣＰＵ１６には、ワーキングエリアとして機能するＲＡＭ１８と、キーボードやマウス等から構成される入力部１９と、液晶ディスプレイ等から構成される出力部２０と、外部記憶装置２１と、ディスクドライブ２２とが接続されている。
【００２３】
外部記憶装置２１には、文字を含むファイルデータを生成するためのアプリケーションプログラムの格納領域や、インクジェット記録装置２のプリンタドライバプログラムの格納領域、その他各種アプリケーションプログラムの格納領域が確保されている。
【００２４】
また、外部記憶装置２１には、数値データと文字データとを対応づけるためのバイト表現された文字コードと、この文字コードに対応して文字を表示する際の書体データである１以上のフォントとが記憶されている。例えば、日本語の文字コードには、明朝体やゴシック体などのフォントが関連付けられて記憶されている。
【００２５】
ＣＰＵ１６は、プロセッサやメモリその他の周辺装置によって構成される演算装置であり、入力部１９から入力される起動要求にしたがって外部記憶装置２１のアプリケーションプログラムを起動させる。また、ＣＰＵ１６は、入力部１９からのパラメータ入力等により指示されたデータを、起動されたアプリケーションプログラム上において生成する。生成されたデータは出力部２０において表示出力され、また、入力部１９から保存要求が入力された場合には、外部記憶装置２１のデータベース領域に記憶される。
【００２６】
そして、ＣＰＵ１６は、アプリケーションプログラム等で生成したファイルデータの印刷要求が入力された場合に、プリンタドライバプログラムをＣＰＵ１６上で実行させることでＣＰＵ１６上にプリンタドライバ３０を仮想的に構築する。
【００２７】
プリンタドライバ３０は、クライアント端末１に接続されたインクジェット記録装置２を制御するために、クライアント端末１上で実行される。ユーザにより、入力部１９から印刷を要求する操作が行われた場合、プリンタドライバ３０は、ユーザ操作に基づいて、アプリケーションにより生成されたファイルデータを取得し、ユーザＩＤやファイル名などの所定の印刷設定情報をヘッダとして、このファイルデータに付加することにより、印刷ジョブを生成し、生成した印刷ジョブを外部インターフェイス部１５からインクジェット記録装置２へ送信する。ここで、生成されるファイル名などは、アプリケーションプログラムなどで生成される際に指定された文字コードおよびフォントに基づいて、ＰＤＬデータなどで生成される。
【００２８】
また、プリンタドライバ３０は、その機能上、対応判定手段３１と、印刷ジョブ生成手段３２と、送信手段３３とを備えている。
【００２９】
対応判定手段３１は、ファイル名に用いられている文字データが、インクジェット記録装置２に記憶された文字コードに対応しているか否かを判定する。
【００３０】
印刷ジョブ生成手段３２は、対応判定手段３１によりインクジェット記録装置２に記憶された文字コードに対応していると判定された場合、ファイル名を文字データのままヘッダに記憶して印刷ジョブを生成する一方、対応判定手段３１によりインクジェット記録装置２に記憶された文字コード対応していないと判定された場合、ファイル名（ＰＤＬデータ）をビットマップデータに変換し、変換したビットマップデータであるファイル名をヘッダに記憶して印刷ジョブを生成する。なお、ここでファイル名が変換される画像形式はビットマップデータに限らず、インクジェット記録装置２により印刷可能な画像データであればよい。
【００３１】
送信手段３３は、印刷ジョブ生成手段３２により生成された印刷ジョブをインクジェット記録装置２に送信する。
【００３２】
インクジェット記録装置２は、インクジェット方式のラインカラープリンタであり、多数のノズルが形成されたインクヘッドを複数備え、それぞれのインクヘッドから黒又はカラーインクを吐出してライン単位で印刷を行い、搬送ベルト上の印刷用紙上に複数の画像を互いに重なり合うように形成する。
【００３３】
具体的には、図１に示すように、インクジェット記録装置２は、原稿上の画像情報を画像データとして読み取って画像データを出力するスキャナ部１０１と、スキャナ部１０１から出力された画像データに基づいて印刷用紙（片面又は両面）に印刷するプリンタ部１０２と、全体制御用の制御ユニット９０とを備えている。プリンタ部１０２における印刷に使用する印刷用紙は、不図示の給紙部からプリンタ部１０２を介して不図示の排紙部に搬送される。
【００３４】
また、制御ユニット９０の外部インターフェイス部９４には、ローカルエリアネットワークＬＡＮを介して、複数のクライアント端末１の外部インターフェイス部１５がそれぞれ接続されている。制御ユニット９０は、各クライアント端末１から印刷ジョブを受け取り、印刷ジョブに含まれるヘッダに記憶された条件で、プリンタ部１０２において印刷処理を実行させる。
【００３５】
さらに、制御ユニット９０にはディスプレイ８０が接続されており、インクジェット記録装置２の上部に配置され、印刷ジョブリスト表示画面などを表示する。印刷ジョブリスト表示画面では、受信した印刷ジョブに含まれるファイル名をユーザ選択可能にリスト表示する。
【００３６】
上述したプリンタ部１０２に印刷動作を行わせるインクジェット記録装置２の制御ユニット９０は、ＣＰＵ９５を備える。このＣＰＵ９５は、ＲＯＭ９１に格納されているプログラム及び設定情報に基づいて、ディスプレイ８０から入力設定される内容に応じたスキャナ部１０１やプリンタ部１０２の動作を制御する。
【００３７】
なお、制御ユニット９０にはＲＡＭ９２が設けられており、ＲＡＭ９２には、クライアント端末１から制御ユニット９０に入力された印刷ジョブや、ディスプレイ８０から入力された各種の設定内容等が随時記憶される。
【００３８】
さらに、制御ユニット９０には外部記憶装置９３が設けられており、この外部記憶装置９３はＣＰＵ９５に接続されている。外部記憶装置９３には、上述したＲＡＭ９２から転送された印刷ジョブを記憶する記憶領域が設けられている。
【００３９】
また、外部記憶装置９３には、数値データと文字データとを対応づけるためのバイト表現された文字コードや、この文字コードに対応して文字を表示する際の書体データである１以上の種類のフォントが記憶されている。ここでは、トルコ語および英語それぞれの所定の文字コードと、この文字コードに対応しているフォントが記憶されているものとする。これにより、インクジェット記録装置２には、トルコ語と英語に対応しており、日本語には対応していないことになる。なお、ここでは、１つの言語に対して１つの文字コードが、１対１で対応づけられて記憶されている。
【００４０】
ＣＰＵ９５は、画像形成プログラムを実行することにより、クライアント端末１から送信された印刷ジョブに基づいて印刷処理を実行する。
【００４１】
また、ＣＰＵ９５は、その機能上、データ判定手段９６と、出力制御手段９７とを備えている。
【００４２】
データ判定手段９６は、送信手段３３により送信された印刷ジョブのヘッダに含まれるファイル名が文字データかビットマップデータかを判定する。
【００４３】
出力制御手段９７は、データ判定手段９６により文字データであると判定された場合、予め記憶された文字データに対応する文字コードおよびフォントに基づいてファイル名を文字データからビットマップデータに変換してディスプレイ８０に表示させる一方、データ判定手段９６によりビットマップデータであると判定された場合、ファイル名をビットマップデータとしてディスプレイ８０に表示させる。
【００４４】
なお、ファイル名に対応する文字コードがインクジェット記録装置２内の文字コードと対応しているが、ＰＤＬデータ内で指定されるフォントがインクジェット記録装置２内に記憶されていないこともある。このような場合、インクジェット記録装置２内に記憶された文字コードに対応するフォントのうち、類似するフォントで置き換える。これにより、表示するフォントは異なるもの、適切な文字コードを用いて変換されているので、文字化けは発生しない。
【００４５】
（画像形成システム１００の作用）
次に、本発明の実施例１に係る画像形成システム１００による印刷ジョブ送信処理および印刷処理について、処理手順について、詳細に説明する。
【００４６】
＜印刷ジョブ送信処理＞
図２は、本発明の実施例１に係る画像形成システム１００が備えるクライアント端末１による印刷ジョブ送信処理の処理手順を示したフローチャートである。
【００４７】
図２に示すように、ユーザ操作により入力部１９から印刷が要求されると（ステップＳ１０１；ＹＥＳ）、対応判定手段３１は、アプリケーションプログラム等で生成され、ＲＡＭ１８や外部記憶装置２１に記憶された文字を含むファイルデータを取得し（ステップＳ１０３）、取得したファイルデータのヘッダに含まれるファイル名を抽出する（ステップＳ１０５）。
【００４８】
対応判定手段３１は、抽出したファイル名に用いられている文字データが、インクジェット記録装置２に記憶された文字コードに対応しているか否かを判定する（ステップＳ１０７）。具体的には、対応判定手段３１は、抽出したファイル名に用いられている文字データについて、対応する文字コードが印刷先であるインクジェット記録装置２の外部記憶装置９３に記憶されていれば、インクジェット記録装置２は、この文字コードを用いて文字データを画像データに変換して文字を出力することができるので、対応判定手段３１は、インクジェット記録装置２に記憶された文字コードに対応していると判定する。外部記憶装置９３には、トルコ語と英語のそれぞれに対応する文字コードが記憶されているので、抽出したファイル名に用いられている文字データが、トルコ語または英語の場合、対応判定手段３１は、インクジェット記録装置２に記憶された文字コードに対応していると判定する。
【００４９】
一方、印刷先であるインクジェット記録装置２の外部記憶装置９３に文字コードが記憶されていない場合、そのまま印刷ジョブを送信し、インクジェット記録装置２が、印刷ジョブに含まれるファイル名を出力しようとすると、文字化けしてしまうので、抽出したファイル名に用いられている文字データが、インクジェット記録装置２に記憶された文字コードに対応していないと判定する。具体的には、抽出したファイル名に用いられている文字データが、トルコ語および英語以外の言語である場合、対応判定手段３１は、インクジェット記録装置２に記憶された文字コードに対応していないと判定する。なお、インクジェット記録装置２に記憶された文字コードに対応しているか否かの判定は、クライアント端末２にプリンタドライバ３０がインストールされた際に、インクジェット記録装置２の外部記憶装置９３に何の言語に対応する文字コードが記憶されているかを示した言語情報を取得して記憶しておき、この記憶された言語情報に基づいて判定するようにしてもよいし、ステップＳ１０７の処理実行時に、インクジェット記録装置２に対して、外部記憶装置９３に何の言語に対応する文字コードが記憶されているかを問い合わせることにより判定するようにしてもよい。
【００５０】
ステップＳ１０７において、ファイル名に用いられている文字データが、インクジェット記録装置２に記憶された文字コードに対応していると判定された場合（ＹＥＳ）、印刷ジョブ生成手段３２は、抽出したファイルデータをＰＤＬ(page description language)化する（ステップＳ１０９）。
【００５１】
そして、印刷ジョブ生成手段３２は、抽出した文字データのファイル名をヘッダに記憶してＰＤＬ化したファイルデータに付加することにより印刷ジョブを生成する（ステップＳ１１１）。
【００５２】
一方、ステップＳ１０７において、ファイル名に用いられている文字データが、インクジェット記録装置２に記憶された文字コードに対応していないと判定された場合（ＮＯ）、このままの状態で印刷ジョブを送信すると、インクジェット記録装置２が、印刷ジョブに含まれるファイル名を出力する際、文字化けしてしまう。
【００５３】
そこで、印刷ジョブ生成手段３２は、抽出したファイル名およびファイルデータを、ビットマップ化してファイル名およびファイルデータそれぞれビットマップデータとして生成し、ビットマップデータであるファイル名をヘッダに記憶し、ビットマップデータ化されたファイルデータに付加することにより、印刷ジョブを生成する（ステップＳ１２３）。
【００５４】
そして、送信手段３３は、ステップＳ１１１またはＳ１２３において生成された印刷ジョブを、ＬＡＮを介して、インクジェット記録装置２へ送信する（ステップＳ１２５）。
【００５５】
このように、対応判定手段３１が、ファイル名に用いられている文字データが、インクジェット記録装置２に記憶された文字コードに対応しているか否かを判定し、印刷ジョブ生成手段３２が、対応判定手段３１によりインクジェット記録装置２に記憶された文字コードに対応していると判定された場合、ファイル名を文字データでヘッダに記憶して印刷ジョブを生成する一方、対応判定手段３１によりインクジェット記録装置２に記憶された文字コードに対応していないと判定された場合、ファイル名を画像データに変換し、変換した画像データであるファイル名をヘッダに記憶して印刷ジョブを生成するので、送信先であるインクジェット記録装置２の言語の対応状況に応じて、印刷ジョブを生成することができ、インクジェット記録装置２における文字化けを防止することができる。
【００５６】
＜印刷処理＞
図３は、本発明の実施例１に係る画像形成システム１００が備えるインクジェット記録装置２による印刷処理の処理手順を示したフローチャートである。
【００５７】
図３に示すように、ローカルエリアネットワークＬＡＮを介して、印刷ジョブを受信すると（ステップＳ２０１）、データ判定手段９６は、受信した印刷ジョブのヘッダに含まれるファイル名を抽出し、この抽出したファイル名が文字データかまたはビットマップデータかを判定する（ステップＳ２０３）。
【００５８】
ステップＳ２０３において、ファイル名がビットマップデータであると判定された場合、出力制御手段９７は、印刷ジョブのヘッダに含まれるビットマップデータであるファイル名をディスプレイ８０の印刷ジョブリスト表示画面上に表示する（ステップＳ２０５）。このとき、ファイル名はビットマップデータであり文字コードなどに依存しないので、出力制御手段９７は、文字化けすることなく、ディスプレイ８０にファイル名を表示させることができる。
【００５９】
一方、ステップＳ２０３において、ファイル名が文字データであると判定された場合、出力制御手段９７は、外部記憶装置９３に記憶された文字コードを用いて、受信した印刷ジョブのヘッダに記憶されているファイル名をビットマップ化するとともに、外部記憶装置９３に記憶された文字コードとフォントを用いて、受信した印刷ジョブに含まれるファイルデータをビットマップ化する（ステップＳ２０７）。
【００６０】
そして、出力制御手段９７は、ビットマップ化したファイル名をディスプレイ８０の印刷ジョブリスト表示画面上に表示する（ステップＳ２０９）。このとき、ファイル名はビットマップデータに変換されているので、文字化けすることなく、ディスプレイ８０にファイル名を表示される。
【００６１】
図４は、ディスプレイ８０上に表示された印刷ジョブリスト表示画面の一例を示した図である。なお、ここでは、ファイル名が、「会議用資料.docx」という１つの印刷ジョブを受信している場合を例に挙げて説明する。
【００６２】
図４に示すように、ディスプレイ８０上に表示された印刷ジョブリスト表示画面２０１には、印刷準備が完了である印刷ジョブとして、「JOB Name」としてファイル名「会議用資料.docx」２０２が表示されている。また、「Size」として用紙サイズが、「A4」として表示され、「Scale」として縮尺が、「100％」として表示されている。
【００６３】
この印刷ジョブリスト表示画面２０１上に表示された文字のうち、「JOB Name」、「Size」、「A4」、「Scale」、「100％」については英語であり、英語は、インクジェット記録装置２が対応している言語であるので、外部記憶装置９３に記憶された文字コードを用いて適切に表示することができる。
【００６４】
一方、ファイル名「会議用資料.docx」２０２は、日本語であるが、文字データではなくビットマップデータに基づいて表示されるので、文字化けすることなく、ディスプレイ８０に適切に表示される。また、この段階で、インクジェット記録装置２のディスプレイ８０に表示されたファイル名に基づいて、図示しない操作部の操作により、印刷ジョブの削除処理を行うようにしてもよい。
【００６５】
図３に戻り、ディスプレイ８０の印刷ジョブリスト表示画面上に表示された印刷ジョブのリストから、ユーザ操作により印刷ジョブが選択されると（ステップＳ２１１；ＹＥＳ）、出力制御手段９７は、選択された印刷ジョブに基づいて、プリンタ部１０２に印刷させる（ステップＳ２１３）。なお、印刷ジョブが選択されなければ、このステップＳ２１３は行われず、そのまま本処理を終了するようにしてもよい。
【００６６】
このように、インクジェット記録装置２では、データ判定手段９６は、受信した印刷ジョブのヘッダに含まれるファイル名が文字データかビットマップデータかを判定し、出力制御手段９７が、文字データであると判定された場合、予め記憶された文字データに対応する文字コードに基づいてファイル名を文字データからビットマップデータに変換してディスプレイ８０の印刷ジョブリスト表示画面上に表示させる一方、ビットマップデータであると判定された場合、ファイル名をビットマップデータのままディスプレイ８０の印刷ジョブリスト表示画面上に表示させる。
【００６７】
そのため、受信した印刷ジョブに含まれるファイル名が、文字データまたはビットマップデータのいずれの場合であっても、適切にディスプレイ８０の印刷ジョブリスト表示画面上に表示させることができる。
【００６８】
なお、本発明の実施例１に係る画像形成システム１００では、対応判定手段３１は、抽出したファイル名に用いられている文字データが、インクジェット記録装置２に記憶された文字コードに対応しているか否かを判定するが、ファイル名だけでなく、ファイルデータに用いられている文字データが、インクジェット記録装置２に記憶された文字コードに対応しているか否かを判定するようにしてよい。この場合であっても、ディスプレイ８０には、文字化けすることなく適切にファイル名が表示されるので、ユーザは、ディスプレイ８０に表示されたファイル名を認識し、選択操作を行うことができる。
【００６９】
[実施例２]
本発明の実施例１では、ファイル名に用いられている文字データが、インクジェット記録装置２に記憶された文字コードに対応していないと判定された場合、ファイル名およびファイルデータを、ビットマップ化してそれぞれビットマップデータをインクジェット記録装置２に送信した。
【００７０】
本発明の実施例２では、ファイル名およびファイルデータに、インクジェット記録装置２に記憶された文字コードが対応していない文字データが含まれると判定された場合、データ量に応じて、インクジェット記録装置２に対して、ビットマップデータを送信するかＰＤＬデータと、このＰＤＬデータ内で指定される文字コードおよびフォントを送信するかを決定することを要旨とする。
【００７１】
（画像形成システム１００の全体構成）
図５は、本発明の実施例２に係るクライアント端末１を有する画像形成システム１００の概略構成を示す説明図である。なお、本発明の実施例２に係るクライアント端末１を有する画像形成システム１００の構成のうち、プリンタドライバ３０およびＣＰＵ９５に実装される機能構成以外は、同一機能を有するので、説明を省略する。
【００７２】
図５に示すように、プリンタドライバ３０は、その機能上、対応判定手段４１と、印刷ジョブ生成手段４２と、送信手段４３と、データ量比較手段４４とを備えている。
【００７３】
対応判定手段４１は、ファイルデータおよびファイル名に用いられている文字データが、インクジェット記録装置２に記憶された文字コードに対応しているか否かを判定する。
【００７４】
データ量比較手段４４は、対応判定手段４１により、文字データがインクジェット記録装置２に記憶された文字コードに対応していないと判定された場合、ファイルデータおよびファイル名に対応する文字コードおよびフォントを含む表示セットのデータ量とファイルデータのデータ量とファイル名のデータ量とを加算することで文字データ量（第１データ量）を算出する。次に、データ量比較手段４４は、ファイルデータを画像変換した場合のデータ量とファイル名を画像変換した場合のデータ量とを加算することで画像データ量（第２データ量）を算出する。そして、データ量比較手段４４は、文字データ量と画像データ量との大きさを比較する。
【００７５】
印刷ジョブ生成手段４２は、データ量比較手段４４により文字データ量が小さいと判定された場合、ファイルデータのファイル名を文字データでヘッダに記憶してファイルデータに付加することで印刷ジョブを生成する一方、データ量比較手段４４により画像データ量が小さいと判定された場合、ファイルデータおよびファイルデータのファイル名をビットマップデータに変換し、変換したビットマップデータであるファイル名をヘッダに記憶し変換したビットマップデータであるファイルデータに付加することで印刷ジョブを生成する。
【００７６】
送信手段４３は、印刷ジョブ生成手段４２によりファイル名が文字データである印刷ジョブが生成された場合、この生成された印刷ジョブおよび表示セットをインクジェット記録装置２に送信する一方、印刷ジョブ生成手段４２によりファイル名がビットマップデータである印刷ジョブが生成された場合、この生成された印刷ジョブをインクジェット記録装置２に送信する。
【００７７】
また、インクジェット記録装置２に備えられたＣＰＵ９５は、その機能上、データ判定手段９８と、出力制御手段９９とを備えている。
【００７８】
データ判定手段９８は、送信手段４３により送信された印刷ジョブのヘッダに含まれるファイル名が文字データかビットマップデータかを判定する。
【００７９】
出力制御手段９９は、データ判定手段９８により文字データであると判定された場合、表示セットに基づいてファイル名を文字データからビットマップデータに変換しファイル名をディスプレイ８０に表示させる一方、データ判定手段９８によりビットマップデータであると判定された場合、ファイル名をビットマップデータとしてディスプレイ８０に表示させる。
【００８０】
（画像形成システム１００の作用）
次に、本発明の実施例２に係る画像形成システム１００による印刷ジョブ送信処理について、処理手順について、詳細に説明する。
【００８１】
＜印刷ジョブ送信処理＞
図６は、本発明の実施例２に係る画像形成システム１００が備えるクライアント端末１による印刷ジョブ送信処理の処理手順を示したフローチャートである。なお、ステップＳ１０１〜Ｓ１０５、Ｓ１０９〜１１１までの処理は、図２に示した同一ステップ番号の処理と同じ処理内容であるので、説明を省略する。
【００８２】
ステップＳ１０５において、ファイル名が抽出されると、対応判定手段４１は、抽出したファイル名およびファイルデータに用いられている文字データが、インクジェット記録装置２に記憶された文字コードに対応しているか否かを判定する（ステップＳ３０７）。具体的には、対応判定手段４１は、抽出したファイル名およびファイルデータに用いられている文字データについて、対応する文字コードが印刷先であるインクジェット記録装置２の外部記憶装置９３に記憶されていれば、インクジェット記録装置２は、この文字コードを用いて文字として出力することができるので、対応判定手段４１は、インクジェット記録装置２に記憶された文字コードに対応していると判定する。例えば、外部記憶装置９３には、トルコ語と英語の文字コードが記憶されているので、抽出したファイル名およびファイルデータに用いられている文字データが、トルコ語または英語の場合、対応判定手段４１は、インクジェット記録装置２に記憶された文字コードに対応していると判定する。
【００８３】
一方、対応する文字コードおよびフォントが印刷先であるインクジェット記録装置２の外部記憶装置９３に記憶されていない場合、そのまま印刷ジョブを送信し、インクジェット記録装置２が、印刷ジョブに含まれるファイル名およびファイルデータを出力しようとすると、文字化けしてしまうので、抽出したファイル名およびファイルデータに用いられている文字データが、インクジェット記録装置２に記憶された文字コードに対応していないと判定する。例えば、抽出したファイル名およびファイルデータに用いられている文字データが、トルコ語および英語以外の文字データである場合、対応判定手段３１は、インクジェット記録装置２に記憶された文字コードに対応していないと判定する。
【００８４】
ステップＳ３０７において、ファイル名およびファイルデータに用いられている文字データが、インクジェット記録装置２に記憶された文字コードに対応していないと判定された場合（ＮＯ）、このままの状態で印刷ジョブを送信すると、インクジェット記録装置２が、印刷ジョブに含まれるファイル名およびファイルデータを出力する際、文字化けしてしまう。
【００８５】
そこで、本発明の実施例２では、文字化けしないように、かつ、通信する際のデータ量が小さくなるように印刷ジョブを生成する。具体的には、まず、データ量比較手段４４は、ビットマップで送信する際の画像データ量（第２データ量）と、ＰＤＬデータを送信する際の文字データ量（第１データ量）をそれぞれ算出する（ステップＳ３２１）。例えば、データ量比較手段４４は、ファイルデータおよびファイル名に対応する文字コードおよびフォントを含む表示セットのデータ量を算出し、この文字コードおよびフォントを含む表示セットのデータ量と、ＰＤＬデータであるファイルデータのデータ量と、文字データであるファイル名のデータ量とを加算することで文字データ量を算出する。また、データ量比較手段４４は、ファイルデータをビットマップ変換した場合のデータ量と、ファイル名をビットマップ変換した場合のデータ量とを加算することで画像データ量を算出する。
【００８６】
次に、データ量比較手段４４は、文字データ量と画像データ量との大きさを比較し、いずれが大きいかを判定する（ステップＳ３２３）。なお、ステップＳ３２３において、比較の結果、文字データ量と画像データ量とが等しい場合、処理をステップＳ３２５へ移行してもよいし、ステップＳ３３１へ移行してもよい。
【００８７】
ステップＳ３２３において、画像データ量が文字データ量より小さいと判定された場合（ＹＥＳ）、印刷ジョブ生成手段４２は、抽出したファイル名およびファイルデータを、ビットマップ化してファイル名およびファイルデータそれぞれビットマップデータとして生成し（ステップＳ３３１）、ビットマップデータであるファイル名をヘッダに記憶し、ビットマップデータ化されたファイルデータに付加することにより、印刷ジョブを生成する（ステップＳ３３３）。
【００８８】
そして、送信手段４３は、ステップＳ１１１またはＳ３３５において生成された印刷ジョブを、ローカルエリアネットワークＬＡＮを介して、インクジェット記録装置２へ送信する（ステップＳ３３５）。
【００８９】
一方、ステップＳ３２３において、文字データ量が画像データ量より小さいと判定された場合（ＮＯ）、印刷ジョブ生成手段４２は、抽出したファイルデータをＰＤＬ化する（ステップＳ３２５）。
【００９０】
そして、印刷ジョブ生成手段４２は、抽出した文字データのファイル名をヘッダに記憶してＰＤＬ化したファイルデータに付加することにより印刷ジョブを生成する（ステップＳ３２７）。
【００９１】
次に、送信手段４３は、ステップＳ３２９において生成された印刷ジョブと、印刷ジョブに含まれるファイルデータのファイル名およびファイルデータに用いられている文字データに対応する文字コードおよびフォントの表示セットとを、ローカルエリアネットワークＬＡＮを介して、インクジェット記録装置２へ送信する（ステップＳ３３５）。
【００９２】
なお、アプリケーションプログラム等で生成され、ＲＡＭ１８などに記憶されたファイルデータに用いられている文字データは、１つの文字コードに対応する文字データのみ含まれていてもよいし、複数の文字コードにそれぞれ対応する複数の文字データが含まれていてもよく、ファイルデータに、インクジェット記録装置２の外部記憶装置９３に記憶された文字コードに対応していない文字データが含まれる場合、対応判定手段４１は、インクジェット記録装置２に記憶された文字コードに対応していないと判定する。
【００９３】
図７は、複数の言語を含むファイルデータの一例を示した図である。
【００９４】
図７に示すように、ファイルデータ３０１には、日本語の文字データで記述された領域３０２と、トルコ語の文字データで記述された領域３０３とを含んでいる。
【００９５】
このような場合、インクジェット記録装置２の外部記憶装置９３には、トルコ語および英語に対応する文字コードが記憶されており、ファイルデータ３０１には、外部記憶装置９３に記憶された文字コードに対応していない日本語の文字データが含まれるので、図６に示したフローチャートのステップＳ３０７において、対応判定手段４１は、インクジェット記録装置２に記憶された文字コードに対応していない（ＮＯ）と判定する。
【００９６】
そして、ステップＳ３２１において、データ量比較手段４４は、ビットマップで送信する際の画像データ量と、ＰＤＬデータを送信する際の文字データ量とをそれぞれ算出する。このとき、領域３０２は日本語の文字データで記述されているので、データ量比較手段４４は、日本語の文字データに対応する文字コードおよびフォントを含む表示セットのデータ量を算出し、この表示セットのデータ量と、ＰＤＬデータであるファイルデータのデータ量と、文字データであるファイル名とを加算することで文字データ量を算出する。
【００９７】
また、データ量比較手段４４は、領域３０２の部分のみをビットマップ変換して、このビットマップ変換された場合のファイルデータのデータ量を画像データ量として算出する。
【００９８】
＜印刷処理＞
本発明の実施例２に係る画像形成システム１００が備えるインクジェット記録装置２による印刷処理の処理手順は、図３に示した本発明の実施例１に係る画像形成システム１００が備えるインクジェット記録装置２による印刷処理のフローチャートのうち、ステップＳ２０７以外の処理が同一である。
【００９９】
本発明の実施例２におけるステップＳ２０７の処理では、出力制御手段９７は、印刷ジョブとともに、表示セット（文字コードおよびフォント）が送信されたか否かを判定し、表示セットが送信されている場合、この表示セットに基づいて、受信した印刷ジョブに含まれるファイルデータ、およびヘッダに記憶されているファイル名をビットマップ化する。一方、印刷ジョブとともに、表示セット（文字コードおよびフォント）が送信されていないと判定した場合、外部記憶装置９３に記憶された文字コードおよびフォントを用いて、受信した印刷ジョブに含まれるファイルデータ、およびヘッダに記憶されているファイル名をビットマップ化する。
【０１００】
以上のように、本発明の実施例２に係る画像形成システム１００では、データ量比較手段４４が、ファイルデータおよびファイル名に対応する文字コードおよびフォントを含む表示セットのデータ量とファイルデータのデータ量とファイル名のデータ量とを加算することで文字データ量を算出するとともに、ファイルデータを画像変換した場合のデータ量とファイル名を画像変換した場合のデータ量とを加算することで画像データ量を算出し、文字データ量と画像データ量との大きさを比較し、印刷ジョブ生成手段４２が、データ量比較手段４４により文字データ量が小さいと判定された場合、ファイルデータのファイル名を文字データでヘッダに記憶してファイルデータに付加することで印刷ジョブを生成する一方、データ量比較手段４４により画像データ量が小さいと判定された場合、ファイルデータおよびファイルデータのファイル名をビットマップデータに変換し、変換したビットマップデータであるファイル名をヘッダに記憶し変換したビットマップデータであるファイルデータに付加することで印刷ジョブを生成する。
【０１０１】
そして、インクジェット記録装置２では、データ判定手段９８が、印刷ジョブのヘッダに含まれるファイル名が文字データか画像データかを判定し、出力制御手段９９が、データ判定手段９８により文字データであると判定された場合、表示セットに基づいてファイルデータおよびファイルデータのファイル名を文字データからビットマップに変換しファイル名をディスプレイ８０に表示させる一方、データ判定手段９８により画像データであると判定された場合、ファイル名をビットマップデータとしてディスプレイ８０に表示させる。そのため、送信するデータ量の総量が小さくなるように、データ形式を選定して送信することができる。これにより、ファイルデータおよびファイルデータのファイル名に用いられている文字データが、インクジェット記録装置２に記憶された文字コードに対応していない場合であっても、ディスプレイ８０に文字化けすることなく適切にファイル名を表示し、かつ、文字化けすることなく文字を判読可能に適切に印字し、さらに、送信するデータ量の総量を最小に抑えることができる。
【符号の説明】
【０１０２】
１…クライアント端末
２…インクジェット記録装置
１５…外部インターフェイス部
１６…ＣＰＵ
１７…ＲＯＭ
１８…ＲＡＭ
１９…入力部
２０…出力部
２１…外部記憶装置
２２…ディスクドライブ
３０…プリンタドライバ
３１，４１…対応判定手段
３２，４２…印刷ジョブ生成手段
３３，４３…送信手段
４４…データ量比較手段
８０…ディスプレイ
９０…制御ユニット
９１…ＲＯＭ
９２…ＲＡＭ
９３…外部記憶装置
９４…外部インターフェイス部
９５…ＣＰＵ
９６，９８…データ判定手段
９７，９９…出力制御手段
１００…画像形成システム
１０１…スキャナ部
１０２…プリンタ部
【図１】
2016012177.tif 000003
【図２】
2016012177.tif 000004
【図３】
2016012177.tif 000005
【図４】
2016012177.tif 000006
【図５】
2016012177.tif 000007
【図６】
2016012177.tif 000008
【図７】
2016012177.tif 000009